【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
第２の装置から第１のメッセージを受信するように構成された受信機と、
前記第１のメッセージを受信したことに応答して、第２のメッセージを生成するように構成された処理システムと、前記第２のメッセージが、その後に前記第２の装置によって第３のメッセージが送信され得る遅延があるかどうかを示す値を有するフィールドを備える、ここにおいて、前記第２のメッセージは、前記第３のメッセージが送信され得る前に、前記第３のメッセージを送信する許可を要求する追加のメッセージが前記第２の装置によって送信される必要があるかどうかを示す同期インジケータを備える、
前記第２の装置に前記第２のメッセージを送信するように構成された送信機と
を備える、第１の装置。
【請求項２】
前記第２のメッセージがネットワーク割当てベクトル（ＮＡＶ）インジケータをさらに備える、前記ネットワーク割当てベクトル（ＮＡＶ）インジケータが、送信のためにネットワーク割当てベクトル（ＮＡＶ）を設定すべきかどうかを示す、
特に、前記第１のメッセージが、前記第３のメッセージを送信する許可を要求し、前記ネットワーク割当てベクトル（ＮＡＶ）インジケータが、前記第３のメッセージの送信のために前記ネットワーク割当てベクトルを設定すべきかどうかを示す、
さらに特に、前記ＮＡＶが設定されたことを前記第２のメッセージの前記ＮＡＶインジケータが示す場合、受信機が、前記第２の装置から前記第３のメッセージを受信するように構成された、
請求項１に記載の装置。
【請求項３】
前記フィールドが、前記遅延の持続時間を示す時間値、または前記遅延の持続時間を示すフラグを含む、請求項１に記載の装置。
【請求項４】
前記遅延の持続時間が、前記第１の装置と前記第２の装置との間のネゴシエーション中に判断される、
または、前記フィールドが、持続時間フィールドを備える、さらに、ここにおいて、前記値が第１の値である場合、遅延があり、前記値が前記第１の値とは異なる第２の値である場合、遅延がない、
請求項１に記載の装置。
【請求項５】
ワイヤレス通信のための方法であって、
第１の装置によって、第２の装置から第１のメッセージを受信することと、
第２のメッセージを生成することと、前記第２のメッセージが、その後に前記第２の装置によって第３のメッセージが送信され得る遅延があるかどうかを示す値を有するフィールドを備える、ここにおいて、前記第２のメッセージは、前記第３のメッセージが送信され得る前に、前記第３のメッセージを送信する許可を要求する追加のメッセージが前記第２の装置によって送信される必要があるかどうかを示す同期インジケータをさらに備える、
第２の装置に前記第２のメッセージを送信することと
を備える方法。
【請求項６】
前記第３のメッセージの送信のためにネットワーク割当てベクトルを設定すべきかどうかを示すネットワーク割当てベクトルインジケータをさらに備える、
特に、前記第１のメッセージが、前記第３のメッセージを送信する許可を要求し、ここにおいて、前記ネットワーク割当てベクトルインジケータが、前記第３のメッセージの送信のために前記ネットワーク割当てベクトルを設定すべきかどうかを示す、
さらに特に、前記方法が、前記ＮＡＶが設定されたことを前記ＮＡＶインジケータが示した場合、前記第２のメッセージの前記送信の後に前記第２の装置から前記第３のメッセージを受信することを備える、
請求項５に記載の方法。
【請求項７】
前記フィールドが、前記遅延の持続時間を示す時間値を含む、
または、前記方法は、その後に前記第１の装置と前記第２の装置との間のネゴシエーション中に第３のメッセージが送信され得る前記遅延の持続時間を判断することをさらに備える、請求項５に記載の方法。
【請求項８】
前記フィールドが、定義された遅延値を示すフラグである、
または、前記フィールドが、持続時間フィールドを備える、さらに、ここにおいて、前記値が第１の値である場合、遅延があり、前記値が前記第１の値とは異なる第２の値である場合、遅延がない、請求項５に記載の方法。
【請求項９】
ワイヤレス通信のための第１の装置であって、
第２の装置から第１のメッセージを受信するように構成された受信機と、前記第１のメッセージが、その後に第２のメッセージが送信され得る遅延があるかどうかを示す値を有するフィールドを備える、
遅延があることを前記フィールドが示す場合、前記遅延の後に前記第２の装置に前記第２のメッセージを送信するように構成された処理システムと、を備え
ここにおいて、前記処理システムは、前記第１のメッセージ中の同期インジケータに基づいて前記第２のメッセージを送信する許可を要求する追加のメッセージを送信すべきかどうかを判断するようにさらに構成され、
ここにおいて、前記送信機は、さらに前記追加のメッセージが必要であることを前記同期インジケータが示す場合、前記追加のメッセージを送信するように構成され、前記追加のメッセージが必要ないことを前記同期インジケータが示す場合、前記追加のメッセージを送信しないように構成される、第１の装置。
【請求項１０】
処理システムが、前記第１のメッセージ中のネットワーク割当てベクトル（ＮＡＶ）インジケータに基づいて、ネットワーク割当てベクトル（ＮＡＶ）が前記第２のメッセージの送信のために設定されることになるかどうかを判断するように構成された、
特に、前記処理システムが、前記第１のメッセージの持続時間フィールドに基づいて前記遅延を判断するようにさらに構成された、請求項９に記載の装置。
【請求項１１】
前記フィールドが、持続時間フィールドを備える、前記処理システムが、前記値が第１の値である場合、遅延があると判断し、前記値が前記第１の値とは異なる第２の値である場合、遅延がないと判断するようにさらに構成された、請求項９に記載の装置。
【請求項１２】
ワイヤレス通信のための方法であって、
第２の装置から第１のメッセージを受信することと、前記第１のメッセージが、その後に第２のメッセージが送信され得る遅延があるかどうかを示す値を有するフィールドを備える、
前記第１のメッセージ中の同期インジケータに基づいて前記第２のメッセージを送信する許可を要求する追加のメッセージを送信すべきかどうかを判断することと、
前記追加のメッセージが必要であることを前記同期インジケータが示す場合、前記追加のメッセージを送信することと、
前記追加のメッセージが必要ないことを前記同期インジケータが示す場合、前記追加のメッセージを送信しないことと、
遅延があることを前記フィールドが示す場合、前記遅延の後に前記第２の装置に前記第２のメッセージを送信することと
を備える方法。
【請求項１３】
前記第１のメッセージ中に含まれるネットワーク割当てベクトル（ＮＡＶ）インジケータに基づいて、ネットワーク割当てベクトル（ＮＡＶ）が前記第２のメッセージのために設定されることになるかどうかを判断するために前記第１のメッセージを復号すること
をさらに備える、
前記方法は、特に、前記第１のメッセージの持続時間フィールドに基づいて前記遅延を判断することをさらに備える、請求項１２に記載の方法。
【請求項１４】
前記フィールドが、持続時間フィールドを備える、前記方法は、前記値が第１の値である場合、遅延があると判断することと、前記値が前記第１の値とは異なる第２の値である場合、遅延がないと判断することとをさらに備える、請求項１２に記載の方法。
【請求項１５】
コンピュータ上で実行されたとき、請求項５−８または１２−１４のうちのいずれか一項に従った方法を実行するための命令を備えるコンピュータプログラム。